(57)【要約】【課題】柱体の全面に亘って均一な緑化を図ること。【解決手段】高速道路等の高架橋１０を支持する橋脚２０（柱体）の周囲に池６０を形成するための防水壁５０と、橋脚２０を囲むようにして池６０に浮かべられた略リング形状の浮体３５と、橋脚２０の周囲にそれぞれ位置するように浮体３５に立設され複数のツル性植物（ツル性植物３４1、ツル性植物３４3等）を支持する複数の植栽支柱（植栽支柱３２1、植栽支柱３２3等）と、風力により浮体３５全体を回転させる風受け羽根（風受け羽根３３1、風受け羽根３３3等）と、を備えている。【選択図】        図１
2005304407.tif 000002
【特許請求の範囲】
【請求項１】
柱体の周囲に池を形成するための防水壁と、
前記柱体を囲むようにして前記池に浮かべられた略リング形状の浮体と、
前記柱体の周囲にそれぞれ位置するように前記浮体に立設され、複数の植物を支持する複数の植栽支柱と、
風力により前記浮体全体を回転させる風力機構と、
を備えたことを特徴とする緑化設備。
【請求項２】
前記柱体に設けられ、前記複数の植栽支柱を介して、前記柱体と接触しない位置に前記浮体を保持する第１の保持手段を備えたことを特徴とする請求項１に記載の緑化設備。
【請求項３】
前記防水壁の内周面に設けられ、前記柱体と接触しない位置に前記浮体を保持する第２の保持手段を備えたことを特徴とする請求項２に記載の緑化設備。
【請求項４】
前記柱体に設けられ、前記防水壁と接触しない位置に前記浮体を保持する第２の保持手段を備えたことを特徴とする請求項２に記載の緑化設備。
【請求項５】
前記第２の保持手段において前記浮体と接触する部分には、回転体が取り付けられていることを特徴とする請求項３または４に記載の緑化設備。
【請求項６】
前記防水壁の内周面と前記浮体の外周面との間の第１クリアランスは、前記柱体と前記浮体の内周面との間の第２クリアランスよりも小であることを特徴とする請求項１、２、３または５に記載の緑化設備。
【請求項７】
前記防水壁の内周面と前記浮体の外周面との間の第１クリアランスは、前記柱体と前記浮体の内周面との間の第２クリアランスよりも大であることを特徴とする請求項１、２、４または５に記載の緑化設備。
【請求項８】
雨水を前記池へ導く雨水導入手段を備えたことを特徴とする請求項１〜７のいずれか一つに記載の緑化設備。
【発明の詳細な説明】
【技術分野】
【０００１】
本発明は、例えば、高架橋を支持する橋脚（柱体）の緑化に用いて好適な緑化設備に関するものであり、特に、柱体の全面に亘って均一な緑化を図ることができる緑化設備に関するものである。
【背景技術】
【０００２】
従来より、高架橋（例えば、高速道路）の下は、一般に光や雨が入りにくいため、植物が育ちにくい環境にある。また、高架橋を支持する橋脚がコンクリートや鋼管で構成されているため、橋脚（柱体）の近傍においては、橋脚の表面がむき出しに近く、無機質な空間とされている。
【０００３】
このことから、従来では、自然環境を整備する機運が高まっており、橋脚等を植物（緑）で覆うための緑化方法が提案されている。具体的には、つぎの第１〜第３の緑化方法が提案されている。
【０００４】
・単純に、橋脚の周囲にツタ類等のツル性植物を植えつける第１の緑化方法。
・橋脚の周囲をパネルや金網で覆い、ツル性植物を金網等に絡ませて橋脚の側面を緑      化する第２の緑化方法（特許文献１参照）。
・橋脚にバンド等を巻回し、これに植物が植えられたプランタ等を固定する第３の緑      化方法。
【０００５】
【特許文献１】特開２００３−３３９２４９号公報
【発明の開示】
【発明が解決しようとする課題】
【０００６】
ところで、植物は、一般に、生育に光を必要とし、光の方向に伸びる性質がある。従って、従来の緑化方法では、１本の橋脚（柱体）において、日当たりが良い面だけが緑化される一方、日当たりが悪い面は植物の生育が悪くなり（または植物が枯れて）、緑化されないという問題があった。
【０００７】
すなわち、従来の緑化方法では、橋脚全体を均一に緑化することが難しいため、おのずとまだらな緑化状態となり、緑化の美観を損ねるという問題があった。
【０００８】
本発明は、上記に鑑みてなされたものであって、柱体の全面に亘って均一な緑化を図ることができる緑化設備を提供することを目的とする。
【課題を解決するための手段】
【０００９】
上述した課題を解決し、目的を達成するために、本発明は、柱体の周囲に池を形成するための防水壁と、前記柱体を囲むようにして前記池に浮かべられた略リング形状の浮体と、前記柱体の周囲にそれぞれ位置するように前記浮体に立設され、複数の植物を支持する複数の植栽支柱と、風力により前記浮体全体を回転させる風力機構と、を備えたことを特徴とする。
【発明の効果】
【００１０】
本発明によれば、風力により浮体全体を回転させることとしたので、植物に均一に光が当たるようになり、生育のムラが防止されるため、柱体の全面に亘って均一な緑化を図ることができる。
【発明を実施するための最良の形態】
【００１１】
以下に、本発明にかかる緑化設備の実施例１〜３を図面に基づいて詳細に説明する。なお、これらの実施例１〜３によりこの発明が限定されるものではない。
【実施例１】
【００１２】
図１は、本発明にかかる実施例１の構成を示す側断面図である。図２は、図１に示したＡ−Ａ’線視断面図である。図１において、高架橋１０は、例えば、高速道路であり、橋脚２０により支持されている。橋脚２０は、地面４０から突出するように設けられており、コンクリートや鋼管で構成されている。この橋脚２０は、円柱形状をしている。緑化設備３０は、橋脚２０を緑化するために設けられている。この緑化設備３０の詳細については、後述する。
【００１３】
防水壁５０は、図２に示したように、橋脚２０の周囲が円形状に掘られた部分に設けられており、水を貯水する機能を備えている。この防水壁５０に水が貯水されることにより、橋脚２０を中心として、円形の池６０が形成されている。この池６０は、後述するツル性植物に水分を供給する役目をしている。
【００１４】
図１に示した緑化設備３０において、保持機構３１は、橋脚２０の上部に取付部材３６により取り付け固定されており、後述する植栽支柱３２1、植栽支柱３２2、植栽支柱３２3および植栽支柱３２4（図２参照）を介して、浮体３５（ツル性植物３４1、ツル性植物３４3等）の全体を、橋脚２０等に直接接触しない位置に保持する役目をしている。また、保持機構３１は、橋脚２０を中心として断面略同心円状の保持部３１ａを有している。
【００１５】
図２に示した植栽支柱３２1、植栽支柱３２2、植栽支柱３２3および植栽支柱３２4は、橋脚２０の周囲に所定角度（同図では、９０度）をおいて位置し、リング形状の浮体３５に立設された支柱である。また、これらの植栽支柱３２1、植栽支柱３２2、植栽支柱３２3および植栽支柱３２4の各上部は、図１に示したように保持機構３１の保持部３１ａにクリアランスをもって介挿されている。
【００１６】
例えば、図１に示した植栽支柱３２1の上部は、クリアランス３１ｂ1をもって保持部３１ａに介挿されている。また、植栽支柱３２3は、クリアランス３１ｂ3をもって保持部３１ａに介挿されている。なお、図２においては、図１に示したツル性植物３４1、ツル性植物３４3等の図示が省略されている。
【００１７】
これらの植栽支柱３２1、植栽支柱３２2、植栽支柱３２3および植栽支柱３２4は、ツル性植物を絡ませつつ支持する機能を備えている。例えば、植栽支柱３２1は、ツル性植物３４1を支持する。植栽支柱３２3は、ツル性植物３４3を支持する。
【００１８】
風受け羽根３３1、風受け羽根３３2、風受け羽根３３3および風受け羽根３３4は、植栽支柱３２1、植栽支柱３２1、植栽支柱３２3および植栽支柱３２4に取り付けられており、風を受けて、浮体３５全体（図１参照）に回転力を発生させる機能を備えている。ここで、浮体３５全体とは、浮体３５、植栽支柱３２1〜３２4、風受け羽根３３1〜３３4およびツル性植物３４1〜３４4（図示略）を指す。
【００１９】
浮体３５は、保水材料等からなる植栽基盤を備え、略リング形状をしている。この浮体３５は、橋脚２０を中心として池６０に浮かべられている。また、浮体３５には、植栽支柱３２1、植栽支柱３２2、植栽支柱３２3および植栽支柱３２4の各下端部が取り付けられている。さらに、浮体３５には、植栽支柱３２1、植栽支柱３２2、植栽支柱３２3および植栽支柱３２4に対応するツル性植物（ツル性植物３４1、ツル性植物３４3等：図１参照）が植えられており、各ツル性植物を根付かせ、水分を供給する役目をしている。
【００２０】
上記構成において、各ツル性植物は、図２に示した浮体３５を介して水分を吸収しつつ、光合成を繰り返して成長し、植栽支柱３２1、植栽支柱３２2、植栽支柱３２3および植栽支柱３２4に絡まりつつ、高架橋１０の上方向に伸びる。これにより、橋脚２０の周囲は、緑化される。
【００２１】
また、図２に示したＸ方向から風が吹くと、風受け羽根３３1〜３３4が風を受け、Ｑ方向（反時計回り）に回転力が発生し、浮体３５全体（図１参照）が回転する。これにより、各ツル性植物も回転し、光が当たる面が変化する。このように、風が吹く度に、浮体３５全体が回転することにより、各ツル性植物に均一に光が当たるようになり、生育のムラが防止される。
【００２２】
なお、実施例１においては、図２に示した植栽支柱３２1、植栽支柱３２2、植栽支柱３２3および植栽支柱３２4にツル性植物を絡ませる構成について説明したが、これらの植栽支柱３２1、植栽支柱３２2、植栽支柱３２3および植栽支柱３２4に代えて（あるいは加えて）、植栽網を用いる構成としてもよい。
【００２３】
以上説明したように、実施例１によれば、風が吹く度に、浮体３５全体が回転することにより、各ツル性植物に均一に光が当たるようになり、生育のムラが防止されるため、橋脚２０（柱体）の全面に亘って均一な緑化を図ることができる。
【００２４】
また、実施例１によれば、池６０に浮かべた浮体３５にツル性植物を植える構成としたので、水耕栽培が可能となり、土を用いた通常の緑化栽培に比べ、水やり等の手間を少なくすることができる。
【００２５】
また、実施例１によれば、橋脚２０に直接ツル性植物を固定しないため、植え替えや撤去を簡単に行うことができ、メンテナンスを容易にすることができる。
【００２６】
また、実施例１によれば、浮体３５に植栽されたツル性植物を回転させるため、ツル性植物が橋脚２０に付着することが無く、橋脚２０を汚すことがなくなるため、景観上のメリットが大きい。
【００２７】
また、実施例１によれば、浮体３５が回転されることにより、池６０内の水が攪拌され、酸素供給がスムーズになることで、池６０の澱みや腐敗を防止することができる。
【００２８】
また、実施例１によれば、池６０の水面に反射された光がツル性植物へ供給されるため、従来届きにくかった部分へも光が供給され、さらに植物の成長を促すことができる。
【００２９】
また、実施例１によれば、単純な緑化にとどまらず、「動きのある緑化体」として楽しむことができる。また、実施例１によれば、風という自然エネルギを利用しているため、省エネルギに貢献することができる。
【００３０】
（実施例１の変形例１）
さて、上述した実施例１においては、図２に示したように、浮体３５の外周面と防水壁５０の内周面との間に広いクリアランスがある構成例について説明したが、変形例１として、図３に示したように、防水壁５０の内周面に、橋脚２０（中心）方向に突出する複数の突出部材７０1〜７０3を設ける構成例としてもよい。
【００３１】
これらの突出部材７０1〜７０3は、浮体３５を池６０の中央部に保持するとともに、浮体３５が橋脚２０に接触することを防止する機能を備えている。なお、突出部材７０1〜７０3の各先端部と、浮体３５の外周面とは、浮体３５が橋脚２０に接触しない程度のクリアランスを有している。
【００３２】
この実施例１の変形例１によれば、突出部材７０1〜７０3により、浮体３５を池６０の中央部に保持しつつ、浮体３５が橋脚２０に接触することが防止されるため、浮体３５全体をスムーズに回転させることができる。
【００３３】
（実施例１の変形例２）
さて、上述した実施例１においては、図２に示したように、円柱形状の橋脚２０を用いた構成例について説明したが、変形例２として、図４に示した角柱形状の橋脚８０を橋脚２０に代えて用いる構成例としてもよい。
【００３４】
この変形例２では、図４に示したように、円形状の防水壁５０（図２参照）に代えて、角形状の防水壁９０が設けられているとともに、防水壁９０の内周面に、橋脚８０（中心）方向に突出する複数の突出部材１００1〜１００4が設けられている。
【００３５】
これらの突出部材１００1〜１００4は、浮体３５を池６０の中央部に保持するとともに、浮体３５が橋脚８０に接触することを防止する機能を備えている。なお、突出部材１００1〜１００4の各先端部と、浮体３５の外周面とは、浮体３５が橋脚８０に接触しない程度のクリアランスを有している。
【００３６】
この実施例１の変形例２によれば、突出部材１００1〜１００4により、浮体３５を池６０の中央部に保持しつつ、浮体３５が橋脚８０に接触することが防止されるため、浮体３５全体をスムーズに回転させることができる。
【００３７】
（実施例１の変形例３）
さて、上述した実施例１の変形例２においては、図４に示したように、複数の突出部材１００1〜１００4を防水壁９０の内周面に設ける構成例について説明したが、変形例３として、図５に示したように、複数の突出部材１１０1〜１１０4を橋脚８０に設ける構成例としてもよい。
【００３８】
これらの突出部材１１０1〜１１０4は、浮体３５を池６０の中央部に保持するとともに、浮体３５が橋脚８０に接触することを防止する機能を備えている。なお、突出部材１１０1〜１１０4の各先端部と、浮体３５の内周面とは、浮体３５の回転を妨げない程度のクリアランスを有している。
【００３９】
この実施例１の変形例３によれば、突出部材１１０1〜１１０4により、浮体３５を池６０の中央部に保持しつつ、浮体３５が橋脚８０に接触することが防止されるため、浮体３５全体をスムーズに回転させることができる。
【００４０】
（実施例１の変形例４）
さて、上述した実施例１の変形例１においては、図３に示したように、複数の突出部材７０1〜７０3を防水壁５０の内周面に設ける構成例について説明したが、変形例４として、図６に示したように、複数の突出部材１２０1〜１２０3を橋脚２０に設ける構成例としてもよい。
【００４１】
これらの突出部材１２０1〜１２０3は、浮体３５を池６０の中央部に保持するとともに、浮体３５が橋脚２０に接触することを防止する機能を備えている。なお、突出部材１２０1〜１２０3の各先端部と、浮体３５の内周面とは、浮体３５の回転を妨げない程度のクリアランスを有している。
【００４２】
この実施例１の変形例４によれば、突出部材１２０1〜１２０3により、浮体３５を池６０の中央部に保持しつつ、浮体３５が橋脚２０に接触することが防止されるため、浮体３５全体をスムーズに回転させることができる。
【００４３】
（実施例１の変形例５）
さて、上述した実施例１においては、図２に示したように、橋脚２０、浮体３５および防水壁５０との相対的な位置関係について特に言及しながったが、変形例５として、図７に示した位置関係（Ａ1<<Ｂ1）としてもよい。
【００４４】
すなわち、図７に示した変形例５においては、浮体３５の外周面と防水壁５０の内周面との間のクリアランスをＡ1とし、橋脚２０と浮体３５の内周面との間のクリアランスをＢ1とした場合、Ａ1<<Ｂ1なる関係とされている。
【００４５】
この実施例１の変形例５によれば、Ａ1<<Ｂ1なる関係により、浮体３５が橋脚２０に接触することが防止されるため、浮体３５全体をスムーズに回転させることができる。
【００４６】
（実施例１の変形例６）
さて、上述した実施例２においては、図４に示したように、橋脚８０、浮体３５および防水壁９０（突出部材１００1〜１００4）との相対的な位置関係について特に言及しながったが、変形例６として、図８に示した位置関係（Ａ2<<Ｂ2）としてもよい。なお、図８においては、突出部材１００1〜１００4が設けられていない。
【００４７】
すなわち、図８に示した変形例６においては、浮体３５の外周面と防水壁９０の内周面との間の最小のクリアランスをＡ2とし、橋脚２０と浮体３５の内周面との間の最小のクリアランスをＢ2とした場合、Ａ2<<Ｂ2なる関係とされている。
【００４８】
この実施例１の変形例６によれば、Ａ2<<Ｂ2なる関係により、浮体３５が橋脚８０に接触することが防止されるため、浮体３５全体をスムーズに回転させることができる。
【００４９】
（実施例１の変形例７）
さて、上述した実施例１においては、図２に示したように、橋脚２０、浮体３５および防水壁５０との相対的な位置関係について特に言及しながったが、変形例７として、図９に示した位置関係（Ａ3>>Ｂ3）としてもよい。
【００５０】
すなわち、図９に示した変形例７においては、浮体３５の外周面と防水壁５０の内周面との間のクリアランスをＡ3とし、橋脚２０と浮体３５の内周面との間のクリアランスをＢ3とした場合、Ａ3>>Ｂ3なる関係とされている。
【００５１】
この実施例１の変形例７によれば、Ａ3>>Ｂ3なる関係により、浮体３５が防水壁５０に接触することが防止されるため、浮体３５全体をスムーズに回転させることができる。
【００５２】
（実施例１の変形例８）
さて、上述した実施例１の変形例６においては、図８に示したように、角柱形状の橋脚８０、浮体３５および防水壁９０（突出部材１００1〜１００4）との相対的な位置関係をＡ2<<Ｂ2とした構成例について説明したが、変形例８として、図１０に示した位置関係Ａ4>>Ｂ4としてもよい。
【００５３】
すなわち、図１０に示した変形例８においては、橋脚８０の周囲に円形の地盤１３０が形成されており、浮体３５の外周面と防水壁９０の内周面との間の最小のクリアランスをＡ4とし、地盤１３０と浮体３５の内周面との間のクリアランスをＢ4とした場合、Ａ4>>Ｂ4なる関係とされている。
【００５４】
この実施例１の変形例８によれば、Ａ4>>Ｂ4なる関係により、浮体３５が防水壁９０に接触することが防止されるため、浮体３５全体をスムーズに回転させることができる。
【実施例２】
【００５５】
図１１は、本発明にかかる実施例２の構成を示す側断面図である。同図において、図１の各部に対応する部分には同一の符号を付ける。図１１においては、図３に示した変形例１と同様にして、防水壁５０の内周面に、橋脚２０（中心）方向に突出する複数の突出部材１４０1、１４０2・・・が設けらている。
【００５６】
これらの突出部材１４０1、１４０2・・・には、浮体３５と接触する部分に、回転体１５０1、１５０2、・・・が回転自在に設けられている。これらの突出部材１４０1、１４０2・・・は、浮体３５を池６０の中央部に保持するとともに、浮体３５が橋脚２０に接触することを防止し、さらに、回転体１５０1、１５０2、・・・の回転により、浮体３５の回転をよりスムーズにする機能を備えている。なお、回転体１５０1、１５０2、・・・と、浮体３５の外周面とは、浮体３５が橋脚２０に接触しない程度のクリアランスを有している。
【００５７】
以上説明したように、実施例２によれば、突出部材１４０1、１４０2、・・・に回転体１５０1、１５０2、・・・を設けたことにより、浮体３５全体をよりスムーズに回転させることができる。
【００５８】
なお、回転体１５０1等は、前述した突出部材１１０1等（図５参照）や突出部材１２０1等（図６参照）に適用してもよい。
【実施例３】
【００５９】
図１２は、本発明にかかる実施例３の構成を示す側断面図である。同図において、図１の各部に対応する部分には同一の符号を付ける。同図においては、高架橋１０に側溝１０ａが形成されているとともに、排水管１６０およびオーバーフロー管１７０が新たに設けられている。
【００６０】
側溝１０ａは、雨が降った際に、高架橋１０における雨水を集めるための溝である。排水管１６０は、高架橋１０の下部、橋脚２０に沿って設けられており、側溝１０ａに溜まった雨水を池６０へ導く機能を備えている。オーバーフロー管１７０は、防水壁５０の上部に設けられており、池６０から溢れた余水を下水道（図示略）へ導く機能を備えている。
【００６１】
上記構成において、雨が降ると、高架橋１０における雨水は、側溝１０ａおよび排水管１６０を介して、池６０へ導かれる。そして、池６０の容量を超えると、余水は、オーバーフロー管１７０を介して、下水道へ導かれる。
【００６２】
以上説明したように、実施例３によれば、雨水を池６０に導き、ツル性植物へ供給しているため、水管理を容易にすることができる。また、雨水を利用しているため、省エネルギに貢献することができる。
【産業上の利用可能性】
【００６３】
以上のように、本発明にかかる緑化設備は、高架橋の橋脚等の緑化に対して有用である。
【図面の簡単な説明】
【００６４】
【図１】本発明にかかる実施例１の構成を示す側断面図である。
【図２】図１に示したＡ−Ａ’線視断面図である。
【図３】同実施例１の変形例１の構成を示す一部裁断平面図である。
【図４】同実施例１の変形例２の構成を示す一部裁断平面図である。
【図５】同実施例１の変形例３の構成を示す一部裁断平面図である。
【図６】同実施例１の変形例４の構成を示す一部裁断平面図である。
【図７】同実施例１の変形例５の構成を示す一部裁断平面図である。
【図８】同実施例１の変形例６の構成を示す一部裁断平面図である。
【図９】同実施例１の変形例７の構成を示す一部裁断平面図である。
【図１０】同実施例１の変形例８の構成を示す一部裁断平面図である。
【図１１】本発明にかかる実施例２の構成を示す側断面図である。
【図１２】本発明にかかる実施例３の構成を示す側断面図である。
【符号の説明】
【００６５】
２０  橋脚
３０  緑化設備
３１  保持機構
３２1  植栽支柱
３３1  風受け羽根
３４1  ツル性植物
３５  浮体
５０  防水壁
６０  池
【図１】
2005304407.tif 000003
【図２】
2005304407.tif 000004
【図３】
2005304407.tif 000005
【図４】
2005304407.tif 000006
【図５】
2005304407.tif 000007
【図６】
2005304407.tif 000008
【図７】
2005304407.tif 000009
【図８】
2005304407.tif 000010
【図９】
2005304407.tif 000011
【図１０】
2005304407.tif 000012
【図１１】
2005304407.tif 000013
【図１２】
2005304407.tif 000014